(57)【要約】【課題】電池パックと情報のやりとりができない充電器により電池パック内の電池が充電される場合であっても、電池の劣化を抑えつつ、電池の電圧を可能な限り目標電圧に近づける。【解決手段】充電終了時の電池Ｂの目標電圧、及び、電池Ｂに流れる電流と電池Ｂの温度と電池Ｂが劣化する直前の電池Ｂの電圧である劣化限界電圧との対応関係を記憶部５に記憶し、監視部４により検出される電圧が、目標電圧、並びに、電流検出部２により検出される電流及び温度検出部３により検出される温度に対応する劣化限界電圧のうちの低い方の電圧以上になると、スイッチＳＷの動作を制御することにより電池Ｂに流れる電流を遮断させる。【選択図】図１
2017139869.tif 000002
【特許請求の範囲】
【請求項１】
電池に流れる電流を遮断する遮断部と、
前記電池に流れる電流を検出する電流検出部と、
前記電池の温度を検出する温度検出部と、
前記電池の電圧を検出する電圧検出部と、
充電終了時の前記電池の目標電圧、及び、前記電池に流れる電流と前記電池の温度と前記電池が劣化する直前の前記電池の電圧である劣化限界電圧との対応関係を記憶する記憶部と、
前記電圧検出部により検出される電圧が、前記目標電圧、並びに、前記電流検出部により検出される電流及び前記温度検出部により検出される温度に対応する前記劣化限界電圧のうちの低い方の電圧以上になると、前記遮断部の動作を制御することにより前記電池に流れる電流を遮断させる制御部と、
を備えることを特徴とする電池パック。
【請求項２】
請求項１に記載の電池パックであって、
前記記憶部は、前記電池に流れる電流と前記目標電圧との対応関係を記憶し、
前記制御部は、前記電圧検出部により検出される電圧が、前記電流検出部により検出される電流に対応する前記目標電圧、並びに、前記電流検出部により検出される電流及び前記温度検出部により検出される温度に対応する前記劣化限界電圧のうちの低い方の電圧以上になると、前記遮断部の動作を制御することにより前記電池に流れる電流を遮断させる
ことを特徴とする電池パック。
【請求項３】
請求項１に記載の電池パックであって、
前記記憶部は、前記電池に流れる電流と前記電池の温度と前記目標電圧との対応関係を記憶し、
前記制御部は、前記電圧検出部により検出される電圧が、前記電流検出部により検出される電流及び前記温度検出部により検出される温度に対応する前記目標電圧、並びに、前記電流検出部により検出される電流及び前記温度検出部により検出される温度に対応する前記劣化限界電圧のうちの低い方の電圧以上になると、前記遮断部の動作を制御することにより前記電池に流れる電流を遮断させる
ことを特徴とする電池パック。
【請求項４】
請求項１に記載の電池パックであって、
前記目標電圧は、前記電池の内部抵抗及び分極による前記電池の電圧の変動分が加算されている
ことを特徴とする電池パック。
【発明の詳細な説明】
【技術分野】
【０００１】
本発明は、電池パックに関する。
【背景技術】
【０００２】
電動フォークリフトなど、電動モータの動力を利用して駆動する車両の普及に伴い、車両に搭載される電池パック内の電池の充電を制御するための技術の向上が図られている。例えば、特許文献１及び特許文献２参照。
【０００３】
例えば、電池の劣化を抑えつつ、電池の電圧が可能な限り目標電圧に近づくように電池の充電を制御する場合、通常時、電池の電圧が目標電圧に近づくように電池パックから充電器へ電流指令値が送られ、電池の電圧、電池に流れる電流、及び電池の温度などにより電池が劣化する直前になると、電池パックから充電器へ充電停止指示が送られる。
【先行技術文献】
【特許文献】
【０００４】
【特許文献１】特表２０１３−５０９８５１号公報
【特許文献２】特開２００９−０２２０７８号公報
【発明の概要】
【発明が解決しようとする課題】
【０００５】
しかしながら、電池パックと情報のやりとりができない充電器により電池パック内の電池が充電される場合、電池の電圧が目標電圧に近づいたときや電池が劣化する直前になったときに、充電器から電池パックへの電流を止めて充電を停止させることができないため、電池の劣化を抑えつつ、電池の電圧を可能な限り目標電圧に近づけるという充電制御を行うことができない。
【０００６】
そこで、本発明の一側面に係る目的は、電池パックと情報のやりとりができない充電器により電池パック内の電池が充電される場合であっても、電池の劣化を抑えつつ、電池の電圧を可能な限り目標電圧に近づけることが可能な電池パックを提供することを目的とする。
【課題を解決するための手段】
【０００７】
本発明に係る一つの形態である電池パックは、遮断部と、電流検出部と、温度検出部と、電圧検出部と、記憶部と、制御部とを備える。
遮断部は、電池に流れる電流を遮断する。
【０００８】
電流検出部は、電池に流れる電流を検出する。
温度検出部は、電池の温度を検出する。
電圧検出部は、電池の電圧を検出する。
【０００９】
記憶部は、充電終了時の電池の目標電圧、及び、電池に流れる電流と電池の温度と電池が劣化する直前の電池の電圧である劣化限界電圧との対応関係を記憶する。
制御部は、電圧検出部により検出される電圧が、目標電圧、並びに、電流検出部により検出される電流及び温度検出部により検出される温度に対応する劣化限界電圧のうちの低い方の電圧以上になると、遮断部の動作を制御することにより電池に流れる電流を遮断させる。
【発明の効果】
【００１０】
本発明によれば、電池パックと情報のやりとりができない充電器により電池パック内の電池が充電される場合であっても、電池の劣化を抑えつつ、電池の電圧を可能な限り目標電圧に近づけることができる。
【図面の簡単な説明】
【００１１】
【図１】実施形態の電池パックの一例を示す図である。
【図２】制御部の動作の一例を示すフローチャートである。
【図３】記憶部に記憶される情報の一例を示す図である。
【発明を実施するための形態】
【００１２】
以下図面に基づいて実施形態について詳細を説明する。
図１は、実施形態の電池パックの一例を示す図である。
図１に示す電池パック１は、電池Ｂと、スイッチＳＷ（遮断部）と、コネクタＣと、電流検出部２と、温度検出部３と、監視部４（電圧検出部）と、記憶部５と、制御部６とを備えている。なお、電池パック１は、電動フォークリフトなど、電動モータの動力を利用して駆動する車両に搭載されるものとする。また、コネクタＣが充電器７（例えば、鉛電池用の充電器）に接続され、かつ、スイッチＳＷがオンしているとき、充電器７から電池パック１へ電力が供給されると、電池Ｂが充電され、電池Ｂの電圧が上昇するものとする。
【００１３】
電池Ｂは、例えば、直列接続される複数の電池セル（例えば、リチウムイオン電池）により構成されている。なお、電池Ｂは、１つの電池セルにより構成されてもよい。
スイッチＳＷは、例えば、電磁式リレーまたは半導体リレー（例えば、ＭＯＳＦＥＴ（Metal Oxide Semiconductor Field Effect Transistor））により構成され、電池Ｂのマイナス端子に接続されている。なお、スイッチＳＷは、電池Ｂのプラス端子に接続されていてもよい。電池Ｂの充電中、スイッチＳＷがオンからオフになると、電池Ｂに流れる電流が遮断され、電池Ｂの充電が停止するものとする。
【００１４】
電流検出部２は、例えば、シャント抵抗やカレントトランスにより構成され、電池Ｂに流れる電流を検出する。
温度検出部３は、例えば、サーミスタにより構成され、電池Ｂの温度を検出する。
【００１５】
監視部４は、例えば、ＣＰＵ（Central Processing Unit）やプログラマブルディバイス（ＦＰＧＡ（Field Programmable Gate Array）またはＰＬＤ（Programmable Logic Device））により構成されている。また、監視部４は、制御部６から送られてくる指示により、スイッチＳＷのオン、オフを制御する。また、監視部４は、電池Ｂの電圧を検出する。例えば、監視部４は、電池Ｂを構成する各電池セルの電圧のうち、最も高い電圧を電池Ｂの電圧として検出する。また、監視部４は、その検出した電圧、電流検出部２により検出された電流、及び温度検出部３により検出された温度などを示す情報を制御部６に送る。
【００１６】
記憶部５は、例えば、ＲＡＭ（Random Access Memory）やＲＯＭ（Read Only Memory）などにより構成され、後述する、充電終了時の電池Ｂの目標電圧や電池Ｂが劣化する直前の電池Ｂの電圧である劣化限界電圧などを記憶する。
【００１７】
制御部６は、例えば、ＣＰＵやプログラマブルディバイスにより構成され、コネクタＣが充電器７に接続されたと判断すると、電池Ｂの充電制御を行う。例えば、制御部６は、コネクタＣに設けられる不図示のスイッチが充電器７側のコネクタにより押下されたことを検知すると、コネクタＣが充電器７に接続されたと判断する。また、例えば、制御部６は、コネクタＣに設けられる信号線に送信している所定の信号を、充電器７側のコネクタに設けられる信号線を介して受信すると、コネクタＣが充電器７に接続されたと判断する。
【００１８】
図２は、電池Ｂの充電制御時の制御部６の動作の一例を示すフローチャートである。なお、図２に示す動作は、制御タイミング毎に繰り返し行われるものとする。
まず、制御部６は、監視部４から送られてくる情報と記憶部５に記憶されている情報により閾値Ｖｔｈを設定し（Ｓ２１）、監視部４から送られてくる情報に示される電圧が閾値Ｖｔｈ以上であるか否かを判断する（Ｓ２２）。
【００１９】
次に、制御部６は、監視部４により検出される電圧が閾値Ｖｔｈよりも小さいと判断すると（Ｓ２２：Ｎｏ）、充電を継続させ、監視部４により検出される電圧が閾値Ｖｔｈ以上であると判断すると（Ｓ２２：Ｙｅｓ）、スイッチＳＷの動作を制御することにより電池Ｂに流れる電流を遮断させ、電池Ｂの充電を停止させる（Ｓ２３）。
【００２０】
図３は、記憶部５に記憶される情報の一例を示す図である。
図３（ａ）に示す情報には、充電終了時の電池Ｂの目標電圧（実線Ａ）、並びに、電池Ｂに流れる電流と電池Ｂの温度と電池Ｂが劣化する直前の電池Ｂの電圧である劣化限界電圧との対応関係（破線Ａ〜Ｃ）が示されている。なお、図３（ａ）に示す情報には、電池Ｂに流れる電流と電池Ｂの温度と劣化限界電圧との対応関係が３つ示されているが、その対応関係の数は限定されない。
【００２１】
例えば、実線Ａは、満充電時の電池Ｂの閉回路電圧（Ｃｌｏｓｅｄ  Ｃｉｒｃｕｉｔ  Ｖｏｌｔａｇｅ）に、電池Ｂの内部抵抗及び分極による電池Ｂの電圧の変動分が加えられた電圧を示している。また、破線Ａは、電池Ｂに電流Ｉａが流れているときの電池Ｂの温度と劣化限界電圧との対応関係を示している。また、破線Ｂは、電池Ｂに電流Ｉｂが流れているときの電池Ｂの温度と劣化限界電圧との対応関係を示している。また、破線Ｃは、電池Ｂに電流Ｉｃが流れているときの電池Ｂの温度と劣化限界電圧との対応関係を示している。なお、電流Ｉａ＜電流Ｉｂ＜電流Ｉｃとする。また、破線Ａ〜Ｃは、電池Ｂの温度が低くなるほど劣化限界電圧が低くなることを示している。また、制御部６は、電池Ｂの充電開始直後の電池Ｂの電圧や電流の変化量を用いて、電池Ｂの内部抵抗及び分極による電池Ｂの電圧の変動分を求めるように構成してもよい。
【００２２】
例えば、制御部６は、図３（ａ）に示す情報により閾値Ｖｔｈを設定する際、電池Ｂに電流Ｉａが流れ、かつ、電池Ｂの温度が温度Ｔａ（実線Ａと破線Ａとが交差する点に対応する電池Ｂの温度）よりも大きいと、実線Ａに示される電圧（充電終了時の電池Ｂの目標電圧）を閾値Ｖｔｈとして設定する。また、制御部６は、図３（ａ）に示す情報により閾値Ｖｔｈを設定する際、電池Ｂに電流Ｉａが流れ、かつ、電池Ｂの温度が温度Ｔａ以下であると、制御タイミング時の電池Ｂの温度に対応する破線Ａに示される電圧（劣化限界電圧）を閾値Ｖｔｈとして設定する。また、制御部６は、図３（ａ）に示す情報により閾値Ｖｔｈを設定する際、電池Ｂに電流Ｉｂが流れ、かつ、電池Ｂの温度が温度Ｔｂ（実線Ａと破線Ｂとが交差する点に対応する電池Ｂの温度）よりも大きいと、実線Ａに示される電圧（充電終了時の電池Ｂの目標電圧）を閾値Ｖｔｈとして設定する。また、制御部６は、図３（ａ）に示す情報により閾値Ｖｔｈを設定する際、電池Ｂに電流Ｉｂが流れ、かつ、電池Ｂの温度が温度Ｔｂ以下であると、制御タイミング時の電池Ｂの温度に対応する破線Ｂに示される電圧（劣化限界電圧）を閾値Ｖｔｈとして設定する。また、制御部６は、図３（ａ）に示す情報により閾値Ｖｔｈを設定する際、電池Ｂに電流Ｉｃが流れ、かつ、電池Ｂの温度が温度Ｔｃ（実線Ａと破線Ｃとが交差する点に対応する電池Ｂの温度）よりも大きいと、実線Ａに示される電圧（充電終了時の電池Ｂの目標電圧）を閾値Ｖｔｈとして設定する。また、制御部６は、図３（ａ）に示す情報により閾値Ｖｔｈを設定する際、電池Ｂに電流Ｉｃが流れ、かつ、電池Ｂの温度が温度Ｔｃ以下であると、制御タイミング時の電池Ｂの温度に対応する破線Ｃに示される電圧（劣化限界電圧）を閾値Ｖｔｈとして設定する。
【００２３】
そして、制御部６は、監視部４により検出される電圧が、その設定した閾値Ｖｔｈ以上になると、スイッチＳＷの動作を制御することにより電池Ｂに流れる電流を遮断させる。
すなわち、制御部６は、監視部４により検出される電圧が、満充電時の電池Ｂの目標電圧、並びに、電流検出部２により検出される電流及び温度検出部３により検出される温度に対応する劣化限界電圧のうちの低い方の電圧以上になると、スイッチＳＷの動作を制御することにより電池Ｂに流れる電流を遮断させる。これにより、電池Ｂの劣化を抑えつつ、電池Ｂの電圧を可能な限り目標電圧に近づけることができる。
【００２４】
また、図３（ｂ）に示す情報には、電池Ｂに流れる電流と充電終了時の電池Ｂの目標電圧との対応関係（実線Ａ〜Ｃ）、並びに、電池Ｂに流れる電流と電池Ｂの温度と電池Ｂが劣化する直前の電池Ｂの電圧である劣化限界電圧との対応関係（破線Ａ〜Ｃ）が示されている。なお、図３（ｂ）に示す情報には、電池Ｂに流れる電流と目標電圧との対応関係、及び、電池Ｂに流れる電流と電池Ｂの温度と劣化限界電圧との対応関係がそれぞれ３つずつ示されているが、それら対応関係の数は限定されない。
【００２５】
例えば、実線Ａは、電池Ｂに電流Ｉａが流れて満充電になったときの電池Ｂの閉回路電圧に、電池Ｂの内部抵抗及び分極による電池Ｂの電圧の変動分が加えられた電圧（充電終了時の電池Ｂの目標電圧）を示している。また、実線Ｂは、電池Ｂに電流Ｉｂが流れて満充電になったときの電池Ｂの閉回路電圧に、電池Ｂの内部抵抗及び分極による電池Ｂの電圧の変動分が加えられた電圧（充電終了時の電池Ｂの目標電圧）を示している。また、実線Ｃは、電池Ｂに電流Ｉｃが流れて満充電になったときの電池Ｂの閉回路電圧に、電池Ｂの内部抵抗及び分極による電池Ｂの電圧の変動分が加えられた電圧（充電終了時の電池Ｂの目標電圧）を示している。なお、電流Ｉａ＜電流Ｉｂ＜電流Ｉｃとする。また、図３（ｂ）に示す破線Ａ〜Ｃは、図３（ａ）に示す破線Ａ〜Ｃと同様とする。
【００２６】
例えば、制御部６は、図３（ｂ）に示す情報により閾値Ｖｔｈを設定する際、電池Ｂに電流Ｉａが流れ、かつ、電池Ｂの温度が温度Ｔａ（実線Ａと破線Ａとが交差する点に対応する電池Ｂの温度）よりも大きいと、実線Ａに示される電圧（充電終了時の電池Ｂの目標電圧）を閾値Ｖｔｈとして設定する。また、制御部６は、図３（ｂ）に示す情報により閾値Ｖｔｈを設定する際、電池Ｂに電流Ｉａが流れ、かつ、電池Ｂの温度が温度Ｔａ以下であると、制御タイミング時の電池Ｂの温度に対応する破線Ａに示される電圧（劣化限界電圧）を閾値Ｖｔｈとして設定する。また、制御部６は、図３（ｂ）に示す情報により閾値Ｖｔｈを設定する際、電池Ｂに電流Ｉｂが流れ、かつ、電池Ｂの温度が温度Ｔｂ（実線Ｂと破線Ｂとが交差する点に対応する電池Ｂの温度）よりも大きいと、実線Ｂに示される電圧（充電終了時の電池Ｂの目標電圧）を閾値Ｖｔｈとして設定する。また、制御部６は、図３（ｂ）に示す情報により閾値Ｖｔｈを設定する際、電池Ｂに電流Ｉｂが流れ、かつ、電池Ｂの温度が温度Ｔｂ以下であると、制御タイミング時の電池Ｂの温度に対応する破線Ｂに示される電圧（劣化限界電圧）を閾値Ｖｔｈとして設定する。また、制御部６は、図３（ｂ）に示す情報により閾値Ｖｔｈを設定する際、電池Ｂに電流Ｉｃが流れ、かつ、電池Ｂの温度が温度Ｔｃ（実線Ｃと破線Ｃとが交差する点に対応する電池Ｂの温度）よりも大きいと、実線Ｃに対応する電圧（充電終了時の電池Ｂの目標電圧）を閾値Ｖｔｈとして設定する。また、制御部６は、図３（ｂ）に示す情報により閾値Ｖｔｈを設定する際、電池Ｂに電流Ｉｃが流れ、かつ、電池Ｂの温度が温度Ｔｃ以下であると、制御タイミング時の電池Ｂの温度に対応する破線Ｃに示される電圧（劣化限界電圧）を閾値Ｖｔｈとして設定する。
【００２７】
そして、制御部６は、監視部４により検出される電圧が、その設定した閾値Ｖｔｈ以上になると、スイッチＳＷの動作を制御することにより電池Ｂに流れる電流を遮断させる。
すなわち、制御部６は、監視部４により検出される電圧が、電流検出部２により検出される電流に対応する目標電圧、並びに、電流検出部２により検出される電流及び温度検出部３により検出される温度に対応する劣化限界電圧のうちの低い方の電圧以上になると、スイッチＳＷの動作を制御することにより電池Ｂに流れる電流を遮断させる。これにより、電池Ｂの劣化を抑えつつ、電池Ｂの電圧を可能な限り目標電圧に近づけることができる。また、図３（ｂ）に示す情報により充電制御を行う場合では、電池Ｂに流れる電流に適した目標電圧により充電制御を行うことができるため、図３（ａ）に示す情報により充電制御を行う場合に比べて、充電制御の精度を向上させることができる。
【００２８】
また、図３（ｃ）に示す情報には、電池Ｂに流れる電流と電池Ｂの温度と充電終了時の電池Ｂの目標電圧との対応関係（実線Ａ〜Ｃ）、並びに、電池Ｂに流れる電流と電池Ｂの温度と電池Ｂが劣化する直前の電池Ｂの電圧である劣化限界電圧との対応関係（破線Ａ〜Ｃ）が示されている。なお、図３（ｃ）に示す情報には、電池Ｂに流れる電流と電池Ｂの温度と目標電圧との対応関係、及び、電池Ｂに流れる電流と電池Ｂの温度と劣化限界電圧との対応関係がそれぞれ３つずつ示されているが、それら対応関係の数は限定されない。
【００２９】
例えば、実線Ａは、電池Ｂに電流Ｉａが流れて満充電になったときの電池Ｂの閉回路電圧に電池Ｂの内部抵抗及び分極による電池Ｂの電圧の変動分が加えられた電圧（充電終了時の電池Ｂの目標電圧）と、電池Ｂの温度との対応関係を示している。また、実線Ｂは、電池Ｂに電流Ｉｂが流れて満充電になったときの電池Ｂの閉回路電圧に電池Ｂの内部抵抗及び分極による電池Ｂの電圧の変動分が加えられた電圧（充電終了時の電池Ｂの目標電圧）と、電池Ｂの温度との対応関係を示している。また、実線Ｃは、電池Ｂに電流Ｉｃが流れて満充電になったときの電池Ｂの閉回路電圧に電池Ｂの内部抵抗及び分極による電池Ｂの電圧の変動分が加えられた電圧（充電終了時の電池Ｂの目標電圧）と、電池Ｂの温度との対応関係を示している。なお、電流Ｉａ＜電流Ｉｂ＜電流Ｉｃとする。また、図３（ｃ）に示す破線Ａ〜Ｃは、図３（ａ）や図３（ｂ）に示す破線Ａ〜Ｃと同様とする。また、図３（ｃ）に示す実線Ａ〜Ｃは、電池Ｂの温度が高くなる程、充電終了時の電池Ｂの目標電圧が低くなることを示している。
【００３０】
例えば、制御部６は、図３（ｃ）に示す情報により閾値Ｖｔｈを設定する際、電池Ｂに電流Ｉａが流れ、かつ、電池Ｂの温度が温度Ｔａ（実線Ａと破線Ａとが交差する点に対応する電池Ｂの温度）よりも大きいと、制御タイミング時の電池Ｂの温度に対応する実線Ａに示される電圧（充電終了時の電池Ｂの目標電圧）を閾値Ｖｔｈとして設定する。また、制御部６は、図３（ｃ）に示す情報により閾値Ｖｔｈを設定する際、電池Ｂに電流Ｉａが流れ、かつ、電池Ｂの温度が温度Ｔａ以下であると、制御タイミング時の電池Ｂの温度に対応する破線Ａに示される電圧（劣化限界電圧）を閾値Ｖｔｈとして設定する。また、制御部６は、図３（ｃ）に示す情報により閾値Ｖｔｈを設定する際、電池Ｂに電流Ｉｂが流れ、かつ、電池Ｂの温度が温度Ｔｂ（実線Ｂと破線Ｂとが交差する点に対応する電池Ｂの温度）よりも大きいと、制御タイミング時の電池Ｂの温度に対応する実線Ｂに示される電圧（充電終了時の電池Ｂの目標電圧）を閾値Ｖｔｈとして設定する。また、制御部６は、図３（ｃ）に示す情報により閾値Ｖｔｈを設定する際、電池Ｂに電流Ｉｂが流れ、かつ、電池Ｂの温度が温度Ｔｂ以下であると、制御タイミング時の電池Ｂの温度に対応する破線Ｂに示される電圧（劣化限界電圧）を閾値Ｖｔｈとして設定する。また、制御部６は、図３（ｃ）に示す情報により閾値Ｖｔｈを設定する際、電池Ｂに電流Ｉｃが流れ、かつ、電池Ｂの温度が温度Ｔｃ（実線Ｃと破線Ｃとが交差する点に対応する電池Ｂの温度）よりも大きいと、制御タイミング時の電池Ｂの温度に対応する実線Ｃに示される電圧（充電終了時の電池Ｂの目標電圧）を閾値Ｖｔｈとして設定する。また、制御部６は、図３（ｃ）に示す情報により閾値Ｖｔｈを設定する際、電池Ｂに電流Ｉｃが流れ、かつ、電池Ｂの温度が温度Ｔｃ以下であると、制御タイミング時の電池Ｂの温度に対応する破線Ｃに示される電圧（劣化限界電圧）を閾値Ｖｔｈとして設定する。
【００３１】
そして、制御部６は、監視部４により検出される電圧が、その設定した閾値Ｖｔｈ以上になると、スイッチＳＷの動作を制御することにより電池Ｂに流れる電流を遮断させる。
すなわち、制御部６は、監視部４により検出される電圧が、電流検出部２により検出される電流及び温度検出部３により検出される温度に対応する目標電圧、並びに、電流検出部２により検出される電流及び温度検出部３により検出される温度に対応する劣化限界電圧のうちの低い方の電圧以上になると、スイッチＳＷの動作を制御することにより電池Ｂに流れる電流を遮断させる。これにより、電池Ｂの劣化を抑えつつ、電池Ｂの電圧を可能な限り目標電圧に近づけることができる。また、図３（ｃ）に示す情報により充電制御を行う場合では、電池Ｂに流れる電流や電池Ｂの温度に適した目標電圧により充電制御を行うことができるため、図３（ａ）に示す情報や図３（ｂ）に示す情報により充電制御を行う場合に比べて、充電制御の精度を向上させることができる。
【００３２】
このように、実施形態の電池パック１では、電池Ｂの電圧が、充電終了時の電池Ｂの目標電圧、並びに、電池Ｂが劣化する直前の電池Ｂの電圧である劣化限界電圧のうちの低い方の電圧以上になると、電池Ｂの充電を停止させているため、電池Ｂの劣化を抑えつつ、電池Ｂの電圧を可能な限り目標電圧に近づけることができる。また、実施形態の電池パック１では、電池パック１側に備えられるスイッチＳＷの動作を制御することにより電池Ｂに流れる電流を遮断させているため、電池パック１と情報のやりとりができない充電器７により電池Ｂが充電される場合であっても、電池Ｂの充電を停止させることができる。従って、実施形態の電池パック１によれば、電池パック１と情報のやりとりができない充電器７により電池Ｂが充電される場合であっても、電池Ｂの劣化を抑えつつ、電池Ｂの電圧を可能な限り目標電圧に近づけることができる。
【００３３】
また、実施形態の電池パック１では、満充電時の電池Ｂの閉回路電圧に電池Ｂの内部抵抗及び分極による電池Ｂの電圧の変動分が加えられた電圧を、充電終了時の電池Ｂの目標電圧としているため、満充電時の電池Ｂの閉回路電圧を、充電終了時の電池Ｂの目標電圧とする場合に比べて、充電終了後の電池Ｂの充電量を増やすことができる。
【００３４】
また、実施形態の電池パック１では、電池Ｂに流れる電流に応じて目標電圧や劣化限界電圧を変えて充電制御を行う構成であるため、出力電流が異なる様々な充電器７に対応することができる。
【００３５】
また、本発明は、以上の実施の形態に限定されるものでなく、本発明の要旨を逸脱しない範囲内で種々の改良、変更が可能である。
【符号の説明】
【００３６】
１  電池パック
２  電流検出部
３  温度検出部
４  監視部
５  記憶部
６  制御部
７  充電器
【図１】
2017139869.tif 000003
【図２】
2017139869.tif 000004
【図３】
2017139869.tif 000005